(57)【要約】【課題】生地を生地搬送装置に円滑に渡すことができる生地供給装置を提供する。【解決手段】生地供給装置は、生地が設置される上面と、上面の反対方向を向く下面と、上面と下面とを貫通する孔とを有するプレート部材と、生地を真空吸着保持してミシンに搬送する生地搬送装置の吸着面と対向可能な位置においてプレート部材を支持する支持装置と、を備える。【選択図】図１
2018130498.tif 000002
【特許請求の範囲】
【請求項１】
生地が設置される上面と、前記上面の反対方向を向く下面と、前記上面と前記下面とを貫通する孔とを有するプレート部材と、
生地を真空吸着保持してミシンに搬送する生地搬送装置の吸着面と対向可能な位置において前記プレート部材を支持する支持装置と、
を備える生地供給装置。
【請求項２】
前記孔は、前記プレート部材に複数設けられ、
前記孔の直径は、隣り合う前記孔の間隔よりも小さい、
請求項１に記載の生地供給装置。
【請求項３】
前記生地の位置を検出する検出装置を備え、
前記生地搬送装置は、前記検出装置の検出結果に基づいて、前記ミシンにおいて前記生地の位置を調整する、
請求項１又は請求項２に記載の生地供給装置。
【請求項４】
前記検出装置は、前記生地の光学像を画像データで取得する撮像装置を含む、
請求項３に記載の生地供給装置。
【請求項５】
前記支持装置は、前記上面と平行な所定面内の第１軸を中心とする回転方向、前記第１軸と直交する前記所定面内の第２軸を中心とする回転方向、及び前記所定面と直交する第３軸と平行な方向の少なくとも一つの方向に前記プレート部材を移動可能に支持する、
請求項１から請求項４のいずれか一項に記載の生地供給装置。
【請求項６】
前記生地搬送装置は、前記上面に設置されている生地を上方から真空吸着保持し、
前記吸着面は、前記第１軸と平行な方向、前記第２軸と平行な方向、前記第３軸と平行な方向、及び前記第３軸を中心とする回転方向に移動可能である、
請求項５に記載の生地供給装置。
【発明の詳細な説明】
【技術分野】
【０００１】
本発明は、生地供給装置に関する。
【背景技術】
【０００２】
衣料の製造工程において、特許文献１及び特許文献２に開示されているようなミシンが使用される。
【先行技術文献】
【特許文献】
【０００３】
【特許文献１】特開２０１６−１３１６１４号公報
【特許文献２】特開２０１６−１３１６３２号公報
【発明の概要】
【発明が解決しようとする課題】
【０００４】
生地は、生地供給装置からミシンに供給される。生地供給装置から供給された生地が生地搬送装置によりミシンに搬送される場合、生地供給装置から生地搬送装置に円滑に生地を渡すことができないと、衣料の生産性が低下する可能性がある。
【０００５】
本発明の態様は、生地を生地搬送装置に円滑に渡すことができる生地供給装置を提供することを目的とする。
【課題を解決するための手段】
【０００６】
本発明の態様に従えば、生地が設置される上面と、前記上面の反対方向を向く下面と、前記上面と前記下面とを貫通する孔とを有するプレート部材と、生地を真空吸着保持してミシンに搬送する生地搬送装置の吸着面と対向可能な位置において前記プレート部材を支持する支持装置と、を備える生地供給装置が提供される。
【発明の効果】
【０００７】
本発明の態様によれば、生地を生地搬送装置に円滑に渡すことができる生地供給装置が提供される。
【図面の簡単な説明】
【０００８】
【図１】図１は、本実施形態に係る縫製システムの一例を模式的に示す平面図である。
【図２】図２は、本実施形態に係る生地位置調整装置の一例を模式的に示す側断面図である。
【図３】図３は、本実施形態に係る生地位置調整装置の一部を破断した斜視図である。
【図４】図４は、本実施形態に係る第１生地供給装置の一例を模式的に示す側断面図である。
【図５】図５は、本実施形態に係る吸着部材の一例を示す斜視図である。
【図６】図６は、本実施形態に係る吸着部材の一例を示す平面図である。
【図７】図７は、本実施形態に係る可動部材の動作の一例を模式的に示す側面図である。
【図８】図８は、本実施形態に係る縫製システムの制御装置の一例を示す機能ブロック図である。
【図９】図９は、本実施形態に係る前身頃を搬送する生地搬送装置の動作の一例を模式的に示す平面図である。
【図１０】図１０は、本実施形態に係る後身頃を搬送する生地搬送装置の動作の一例を模式的に示す平面図である。
【図１１】図１１は、本実施形態に係る生地供給装置における生地搬送装置の動作の一例を模式的に示す側面図である。
【図１２】図１２は、本実施形態に係る第１ミシンにおける生地搬送装置の動作の一例を模式的に示す斜視図である。
【図１３】図１３は、本実施形態に係る前身頃及び後身頃のそれぞれを模式的に示す図である。
【図１４】図１４は、本実施形態に係る前身頃と後身頃とを重ね合わせた状態を模式的に示す図である。
【図１５】図１５は、本実施形態に係る第２ミシンにおける生地位置調整装置の動作の一例を模式的に示す平面図である。
【図１６】図１６は、本実施形態に係る第２ミシンにおける前身頃及び後身頃の一例を模式的に示す平面図である。
【図１７】図１７は、本実施形態に係る第２ミシンの動作の一例を模式的に示す平面図である。
【図１８】図１８は、本実施形態に係る第２ミシンにおける生地搬送装置の動作の一例を模式的に示す平面図である。
【図１９】図１９は、本実施形態に係る第２ミシンにおける生地搬送装置の動作の一例を模式的に示す平面図である。
【図２０】図２０は、本実施形態に係る第２ミシンの動作の一例を模式的に示す平面図である。
【図２１】図２１は、本実施形態に係る縫製システムの動作の一例を示すフローチャートである。
【発明を実施するための形態】
【０００９】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１０】
以下の説明においては、ＸＹＺ直交座標系を設定し、このＸＹＺ直交座標系を参照しつつ各部の位置関係について説明する。所定面内のＸ軸と平行な方向をＸ軸方向とし、Ｘ軸と直交する所定面内のＹ軸と平行な方向をＹ軸方向とし、所定面と直交するＺ軸と平行な方向をＺ軸方向とする。また、Ｘ軸を中心とする回転方向又は傾斜方向をθＸ方向とし、Ｙ軸を中心とする回転方向又は傾斜方向をθＹ方向とし、Ｚ軸を中心とする回転方向又は傾斜方向をθＺ方向とする。また、以下の説明においては、所定面を適宜、ＸＹ平面、と称する。本実施形態においては、ＸＹ平面と水平面とが平行であることとする。
【００１１】
［構造］
図１は、本実施形態に係る縫製システム１の一例を模式的に示す平面図である。図１に示すように、縫製システム１は、ミシン２と、生地供給装置３と、生地供給装置３から供給された生地Ｃを保持してミシン２に搬送する生地搬送装置４とを備える。
【００１２】
生地搬送装置４は、ロボット５と、ロボット５に保持される吸着部材６とを有する。ロボット５は、ベース部材７上を移動可能である。ＸＹ平面内において、ベース部材７は、ミシン２と生地供給装置３との間に配置される。吸着部材６は、生地Ｃを吸着保持する。
【００１３】
本実施形態において、ミシン２は、第１ミシン２１と、第２ミシン２２とを含む。生地供給装置３は、第１生地供給装置３１と、第２生地供給装置３２とを含む。生地Ｃは、第１生地Ｃａと、第２生地Ｃｂとを含む。第１生地供給装置３１は、第１生地Ｃａを供給する。第２生地供給装置３２は、第２生地Ｃｂを供給する。
【００１４】
本実施形態において、縫製システム１は、衣料としてＴシャツを製造する。第１生地Ｃａは、Ｔシャツの前身頃である。第２生地Ｃｂは、Ｔシャツの後身頃である。以下の説明においては、第１生地Ｃａを適宜、前身頃Ｃａ、と称し、第２生地Ｃｂを適宜、後身頃Ｃｂ、と称する。
【００１５】
＜第１ミシン＞
第１ミシン２１は、後身頃ＣｂとラベルＬとを縫合するラベル縫いミシンである。ラベルＬは、布の小片である。ラベルＬには、衣料のサイズ及び繊維の種類のような衣料についての情報又は取扱いの注意書きなどが記載される。ラベルＬは、ラベル供給装置８からラベル搬送装置９を介して第１ミシン２１に供給される。
【００１６】
ラベル供給装置８は、ラベルＬを供給する。ラベル供給装置８は、積層された複数のラベルＬが収容されるラベル収容部材８４と、ラベル収容部材８４に収容されているラベルＬをラベル搬送装置９に移送するラベル移送機構８５とを有する。
【００１７】
本実施形態において、ラベルＬは、第１ラベルＬ１と、第２ラベルＬ２と、第３ラベルＬ３とを含む。ラベル供給装置８は、第１ラベルＬ１を供給する第１ラベル供給装置８１と、第２ラベルＬ２を供給する第２ラベル供給装置８２と、第３ラベルＬ３を供給する第３ラベル供給装置８３とを含む。第１ラベル供給装置８１と第２ラベル供給装置８２と第３ラベル供給装置８３とは、Ｘ軸方向に配置される。
【００１８】
ラベル搬送装置９は、ラベル供給装置８から供給されたラベルＬを第１ミシン２１に搬送する。ラベル搬送装置９は、ラベルＬを保持するクランプ機構９１と、クランプ機構９１をＸ軸方向にガイドするガイド機構９２と、クランプ機構９１をＸ軸方向に移動させる動力を発生するアクチュエータ９３とを有する。クランプ機構９１は、第１ラベル供給装置８１、第２ラベル供給装置８２、及び第３ラベル供給装置８３のそれぞれから、第１ラベルＬ１、第２ラベルＬ２、及び第３ラベルＬ３を順次受け取って保持する。クランプ機構９１は、第１ラベルＬ１と第２ラベルＬ２と第３ラベルＬ３とを積層した状態で保持する。アクチュエータ９３は、第１ラベルＬ１、第２ラベルＬ２、及び第３ラベルＬ３を保持したクランプ機構９１をＸ軸方向に移動させる動力を発生する。クランプ機構９１は、アクチュエータ９３が発生した動力に基づいて、ガイド機構９２にガイドされながら第１ミシン２１に移動する。これにより、第１ラベルＬ１と第２ラベルＬ２と第３ラベルＬ３とは、積層された状態で第１ミシン２１に搬送される。
【００１９】
後身頃Ｃｂは、生地搬送装置４により、第２生地供給装置３２から第１ミシン２１に搬送される。ラベルＬは、ラベル搬送装置９により、ラベル供給装置８から第１ミシン２１に搬送される。第１ミシン２１は、第２生地供給装置３２から供給された後身頃Ｃｂとラベル供給装置８から供給されたラベルＬとを縫合する。
【００２０】
第１ミシン２１は、後身頃Ｃｂが設置される設置面２１１Ｓを有するテーブル２１１と、テーブル２１１に設置された後身頃ＣｂとラベルＬとを縫合するミシンヘッド２１２とを有する。設置面２１１Ｓは、テーブル２１１の上面を含む。設置面２１１Ｓは、ＸＹ平面と実質的に平行である。生地搬送装置４は、後身頃Ｃｂをテーブル２１１に搬送する。
【００２１】
ミシンヘッド２１２は、ミシン針２１３を上下方向に移動させる駆動機構２１４と、テーブル２１１に設置された後身頃Ｃｂを上方から押える第１押え部材２１５と、ラベルＬを上方から押える第２押え部材２１６とを有する。後身頃Ｃｂが第１押え部材２１５で押えられ、後身頃Ｃｂ上に設置されたラベルＬが第２押え部材２１６で押えられた状態で、ミシン針２１３が上下方向に移動することにより、後身頃ＣｂとラベルＬとが縫合される。以下の説明においては、ミシン針２１３によって縫合が実施される位置を適宜、第１縫合位置ＰＭ１、と称する。第１縫合位置ＰＭ１は、ミシン針２１３が降下する針落ち位置を含む。
【００２２】
＜第２ミシン＞
第２ミシン２２は、前身頃Ｃａと後身頃Ｃｂとを縫合する。本実施形態において、第２ミシン２２は、前身頃Ｃａの肩部分Ｋと後身頃Ｃｂの肩部分Ｋとを縫合する肩合わせ縫いミシンである。
【００２３】
前身頃Ｃａは、生地搬送装置４により、第１生地供給装置３１から第２ミシン２２に搬送される。後身頃Ｃｂは、生地搬送装置４により、第１ミシン２１から第２ミシン２２に搬送される。後身頃Ｃｂは、ラベルＬが縫合された状態で、第１ミシン２１から第２ミシン２２に搬送される。第２ミシン２２は、第１生地供給装置３１から供給された前身頃Ｃａと第２ミシン２２から供給された後身頃Ｃｂとを縫合する。
【００２４】
第２ミシン２２は、前身頃Ｃａ及び後身頃Ｃｂが設置される設置面２２１Ｓを有するテーブル２２１と、テーブル２２１に設置された前身頃Ｃａと後身頃Ｃｂとを縫合するミシンヘッド２２２とを有する。設置面２２１Ｓは、テーブル２２１の上面を含む。設置面２２１Ｓは、ＸＹ平面と実質的に平行である。生地搬送装置４は、前身頃Ｃａ及び後身頃Ｃｂのそれぞれをテーブル２２１に搬送する。
【００２５】
ミシンヘッド２２２は、ミシン針２２３を上下方向に移動させる駆動機構２２４と、テーブル２２１に設置された前身頃Ｃａ及び後身頃Ｃｂを上方から押える押え部材２２５とを有する。前身頃Ｃａ及び後身頃Ｃｂが押え部材２２５で押えられた状態で、ミシン針２２３が上下方向に移動することにより、前身頃Ｃａと後身頃Ｃｂとが縫合される。以下の説明においては、ミシン針２２３によって縫合が実施される位置を適宜、第２縫合位置ＰＭ２、と称する。第２縫合位置ＰＭ２は、ミシン針２２３が降下する針落ち位置を含む。
【００２６】
また、第２ミシン２２は、テーブル２２１において前身頃Ｃａ及び後身頃Ｃｂを搬送する生地押え搬送装置２３０と、テーブル２２１に設置された前身頃Ｃａ及び後身頃Ｃｂを上方から押えて固定する生地押え部材２４０と、テーブル２２１に設置された前身頃Ｃａの位置を調整する生地位置調整装置２５０とを備える。
【００２７】
生地押え搬送装置２３０は、テーブル２２１に設置された前身頃Ｃａ及び後身頃Ｃｂを上方から押える生地押え部材２３１と、アーム部材２３２を介して生地押え部材２３１と連結されるスライダ２３３と、スライダ２３３をＸ軸方向にガイドするガイド部材２３４と、スライダ２３３をＸ軸方向に移動させる動力を発生するアクチュエータ２３５とを有する。
【００２８】
生地押え部材２４０は、第１生地押え部材２４０Ｌと、第２生地押え部材２４０Ｒとを含む。第１生地押え部材２４０Ｌと第２生地押え部材２４０ＲとはＸ軸方向に配置される。第１生地押え部材２４０Ｌは、第２生地押え部材２４０Ｒよりもミシンヘッド２２２側に配置される。
【００２９】
生地押え部材２４０は、支持装置２４１を介してテーブル２２１に支持される。支持装置２４１は、例えばエアシリンダのようなアクチュエータを含み、生地押え部材２４０を少なくともＺ軸方向に移動可能に支持する。なお、支持装置２４１は、生地押え部材２４０をＸ軸方向、Ｙ軸方向、θＸ方向、θＹ方向、及びθＺ方向の少なくとも１つの方向に移動可能に支持してもよい。支持装置２４１は、第１生地押え部材２４０Ｌを移動可能に支持する第１支持装置２４１Ｌと、第２生地押え部材２４０Ｒを移動可能に支持する第２支持装置２４１Ｒとを含む。第１支持装置２４１Ｌ及び第２支持装置２４１Ｒを含む支持装置２４１は、第１生地押え部材２４０Ｌと第２生地押え部材２４０Ｒとを別々に移動可能である。
【００３０】
図２は、本実施形態に係る生地位置調整装置２５０の一例を模式的に示す側断面図である。図３は、本実施形態に係る生地位置調整装置２５０の一部を破断した斜視図である。第２ミシン２２のテーブル２２１は、生地Ｃが設置される設置面２２１Ｓを有する。設置面２２１Ｓは、テーブル２２１の上面を含む。設置面２２１Ｓは、ＸＹ平面と実質的に平行である。
【００３１】
生地位置調整装置２５０は、テーブル２２１に設置された前身頃Ｃａの少なくとも一部の位置を調整する。生地位置調整装置２５０は、ＸＹ平面内における前身頃Ｃａの一部分の位置を調整する。
【００３２】
生地位置調整装置２５０は、テーブル２２１の設置面２２１Ｓに設けられ、前身頃Ｃａを保持する保持面２５１Ｓを有するプレート部材２５１と、テーブル２２１の内部に設けられ、設置面２２１Ｓと平行な方向にプレート部材２５１を移動して、プレート部材２５１に保持されている前身頃Ｃａの位置を調整するアクチュエータ２５２とを有する。
【００３３】
保持面２５１Ｓは、プレート部材２５１の上面を含む。保持面２５１Ｓは、ＸＹ平面と実質的に平行である。プレート部材２５１は、保持面２５１Ｓと、保持面２５１Ｓの反対方向を向く下面２５１Ｔと、保持面２５１Ｓと下面２５１Ｔとを貫通する吸引孔２５３とを有する。保持面２５１Ｓと平行な方向において、吸引孔２５３は、間隔をあけてプレート部材２５１に複数設けられる。保持面２５１Ｓと設置面２２１Ｓとは、実質的に平行である。
【００３４】
テーブル２２１の設置面２２１Ｓは、開口２２１Ｋを有する。プレート部材２５１は、設置面２２１Ｓの開口２２１Ｋを覆うように配置される。設置面２２１Ｓは、保持面２５１Ｓの周囲に配置される。プレート部材２５１の下面２５１Ｔの外縁領域と開口２２１Ｋの周囲の設置面２２１Ｓの一部とが対向する。
【００３５】
生地位置調整装置２５０は、プレート部材２５１を支持する支持部材２５４を有する。支持部材２５４の少なくとも一部は、プレート部材２５１の下面２５１Ｔに固定される。支持部材２５４は、ベース部材２５５に支持される。支持部材２５４及びベース部材２５５は、テーブル２２１の内部空間に設置される。
【００３６】
ベース部材２５５は、テーブル２２１の内部空間においてテーブル２２１の少なくとも一部に固定される。ベース部材２５５は、支持部材２５４を移動可能に支持する。支持部材２５４は、ＸＹ平面内において移動可能にベース部材２５５に支持される。支持部材２５４は、例えばボール又はコロを含むスライド機構を介してベース部材２５５に支持される。なお、支持部材２５４がＸＹ平面内において移動可能であれば、スライド機構はボール又はコロを含まなくてもよい。アクチュエータ２５２は、プレート部材２５１を移動させる動力を発生する。アクチュエータ２５２は、例えば支持部材２５４とベース部材２５５との間に配置される。なお、ベース部材２５５に対して支持部材２５４が移動可能であれば、アクチュエータ２５２は、支持部材２５４とベース部材２５５との間に配置されなくてもよい。アクチュエータ２５２は、支持部材２５４を介してプレート部材２５１を移動する。アクチュエータ２５２は、支持部材２５４を移動させることにより、支持部材２５４に固定されているプレート部材２５１をＸＹ平面内において移動させる。ベース部材２５５は、固定子として機能し、支持部材２５４は、可動子として機能する。アクチュエータ２５２の作動により、プレート部材２５１は、設置面２２１Ｓと平行なＸＹ平面内において移動する。
【００３７】
支持部材２５４は、プレート部材２５１の下面２５１Ｔとの間で空間ＶＳを形成する。プレート部材２５１と支持部材２５４との間の空間ＶＳは、真空ポンプ及び制御弁を含む真空系７０に接続される。支持部材２５４の一部に形成された開口とチューブ部材２５６とが接続される。チューブ部材２５６は可撓性である。真空系７０と空間ＶＳとは、チューブ部材２５６を介して接続される。
【００３８】
真空系７０の作動により空間ＶＳが負圧になると、プレート部材２５１の保持面２５１Ｓ側の気体の少なくとも一部が、吸引孔２５３を介して空間ＶＳに吸引される。図２に示すように、保持面２５１Ｓに前身頃Ｃａが設置された状態で真空系７０が作動することにより、前身頃Ｃａは、保持面２５１Ｓに吸着保持される。
【００３９】
プレート部材２５１は、前身頃Ｃａの少なくとも一部を保持面２５１Ｓで吸着保持する。前身頃Ｃａが保持面２５１Ｓに吸着保持された状態で、アクチュエータ２５２が作動され、プレート部材２５１が移動することにより、プレート部材２５１に保持されている前身頃Ｃａの位置が調整される。生地位置調整装置２５０は、テーブル２２１に設置された前身頃Ｃａの少なくとも一部の位置を調整する。生地位置調整装置２５０は、ＸＹ平面内における前身頃Ｃａの一部分の位置を調整する。
【００４０】
＜生地供給装置＞
第１生地供給装置３１は、前身頃Ｃａを供給する。図１に示すように、第１生地供給装置３１は、複数の前身頃Ｃａを収容する収容装置３１１と、前身頃Ｃａが設置される設置台３１２と、収容装置３１１に収容されている複数の前身頃Ｃａから１枚の前身頃Ｃａを保持して設置台３１２に設置する第１ピックアップ装置とを有する。収容装置３１１において複数の前身頃Ｃａが積層される。第１ピックアップ装置は、積層されている複数の前身頃Ｃａのうち最も上に配置されている１枚の前身頃Ｃａを保持して設置台３１２に搬送する。第１ピックアップ装置は、１枚の前身頃Ｃａを設置台３１２に設置する。
【００４１】
第２生地供給装置３２は、後身頃Ｃｂを供給する。図１に示すように、第２生地供給装置３２は、複数の後身頃Ｃｂを収容する収容装置３２１と、後身頃Ｃｂが設置される設置台３２２と、収容装置３２１に収容されている複数の後身頃Ｃｂから１枚の後身頃Ｃｂを保持して設置台３２２に設置する第２ピックアップ装置とを有する。収容装置３２１において複数の後身頃Ｃｂが積層される。第２ピックアップ装置は、積層されている複数の後身頃Ｃｂのうち最も上に配置されている１枚の後身頃Ｃｂを保持して設置台３２２に搬送する。第２ピックアップ装置は、１枚の後身頃Ｃｂを設置台３２２に設置する。
【００４２】
図４は、本実施形態に係る第１生地供給装置３１の一例を模式的に示す側断面図である。第１生地供給装置３１の構造と第２生地供給装置３２の構造とは実質的に同一である。以下、第１生地供給装置３１について説明し、第２生地供給装置３２についての説明は簡略又は省略する。
【００４３】
図４に示すように、第１生地供給装置３１は、前身頃Ｃａが設置される設置台３１２を有する。設置台３１２には１枚の前身頃Ｃａが設置される。設置台３１２は、プレート部材３３と、プレート部材３３を支持する支持装置３４とを有する。
【００４４】
プレート部材３３は、前身頃Ｃａが設置される上面３３Ｓと、上面３３Ｓの反対方向を向く下面３３Ｔと、上面３３Ｓと下面３３Ｔとを貫通する孔３７とを有する。上面３３Ｓと下面３３Ｔとは平行である。上面３３Ｓと平行な方向において、孔３７は、間隔をあけてプレート部材３３に複数設けられる。
【００４５】
孔３７の直径φは、隣り合う孔３７の間隔ｄよりも小さい。本実施形態において、孔３７の直径は、２［ｍｍ］以下に定められる。
【００４６】
支持装置３４は、上面３３ＳとＸＹ平面とが平行となるように、プレート部材３３を支持する。支持装置３４は、θＸ方向、θＹ方向、及びＺ軸方向の少なくとも１つの方向にプレート部材３３を移動可能に支持する。
【００４７】
支持装置３４は、ベース部材３５と、ベース部材３５とプレート部材３３との間に配置されるばね３６とを有する。ばね３６の上端部は、プレート部材３３に接続される。ばね３６の下端部は、ベース部材３５に接続される。ＸＹ平面内において、ばね３６は、複数配置される。
【００４８】
プレート部材３３に外力が作用していない場合、プレート部材３３の上面３３ＳとＸＹ平面とは実質的に平行である。プレート部材３３に外力が作用した場合、プレート部材３３の上面３３Ｓは、θＸ方向、θＹ方向、及びＺ軸方向の少なくとも１つの方向に移動する。
【００４９】
すなわち、本実施形態において、ばね３６を含む支持装置３４は、プレート部材３３を揺動可能に支持するフローティング機能を有する。プレート部材３３に外力が作用していない場合、支持装置３４は、プレート部材３３の上面３３ＳとＸＹ平面とが実質的に平行となるように、プレート部材３３を支持する。プレート部材３３に外力が作用した場合、支持装置３４は、プレート部材３３の上面３３ＳがθＸ方向、θＹ方向、及びＺ軸方向の少なくとも１つの方向に移動するように、プレート部材３３を支持する。
【００５０】
また、第１生地供給装置３１は、前身頃Ｃａの位置を検出する検出装置３１３を有する。検出装置３１３は、ＸＹ平面内における前身頃Ｃａの位置を検出する。本実施形態において、検出装置３１３は、前身頃Ｃａの光学像を画像データで取得する撮像装置を含む。検出装置３１３は、設置台３１２よりも上方に設けられる。検出装置３１３は、設置台３１２のプレート部材３３に設置されている前身頃Ｃａの位置を検出する。検出装置３１３は、設置台３１２のプレート部材３３に設置されている前身頃Ｃａの画像データを前身頃Ｃａの上方から取得する。
【００５１】
同様に、第２生地供給装置３２は、後身頃Ｃｂの位置を検出する検出装置３２３を有する。検出装置３２３は、ＸＹ平面内における後身頃Ｃｂの位置を検出する。本実施形態において、検出装置３２３は、後身頃Ｃｂの光学像を画像データで取得する撮像装置を含む。検出装置３２３は、設置台３２２よりも上方に設けられる。検出装置３２３は、設置台３２２のプレート部材３３に設置されている後身頃Ｃｂの位置を検出する。検出装置３２３は、設置台３２２のプレート部材３３に設置されている後身頃Ｃｂの画像データを後身頃Ｃｂの上方から取得する。
【００５２】
＜生地搬送装置＞
図１に示すように、生地搬送装置４は、ベース部材７に移動可能に支持されるロボット５と、ロボット５に保持される吸着部材６とを有する。本実施形態において、ロボット５は、水平多関節ロボット（ＳＣＡＲＡ：Selective  Compliance  Assembly  Robot  Arm）である。ロボット５は、吸着部材６を保持するアーム５１を有する。ロボット５は、Ｘ軸方向、Ｙ軸方向、Ｚ軸方向、及びθＺ軸方向の４つの方向に移動可能である。吸着部材６は、ロボット５のアーム５１に保持された状態で、Ｘ軸方向、Ｙ軸方向、Ｚ軸方向、及びθＺ軸方向の４つの方向に移動可能である。
【００５３】
生地搬送装置４は、吸着部材６を使って、生地Ｃを上方から吸着保持する。吸着部材６は、真空系７０に接続されており、生地Ｃを上方から吸着保持する。
【００５４】
ロボット５は、ベース部材７上を移動可能である。ロボット５は、吸着部材６を、第１生地供給装置３１の設置台３１２と対向する第１供給位置ＰＦ１、第２生地供給装置３２の設置台３２２と対向する第２供給位置ＰＦ２、第１ミシン２１のテーブル２１１と対向する第１ミシン位置ＰＨ１、及び第２ミシン２２のテーブル２２１と対向する第２ミシン位置ＰＨ２のそれぞれに移動可能である。第１供給位置ＰＦ１と第２供給位置ＰＦ２と第１ミシン位置ＰＨ１と第２ミシン位置ＰＨ２とは、ＸＹ平面内において異なる位置である。吸着部材６は、設置台３１２の上方、設置台３２２の上方、テーブル２１１の上方、及びテーブル２２１の上方のそれぞれに移動可能である。
【００５５】
図５は、本実施形態に係る吸着部材６の一例を示す斜視図である。図６は、本実施形態に係る吸着部材６の一例を示す平面図である。
【００５６】
図５及び図６に示すように、吸着部材６は、生地Ｃを上方から吸着保持する吸着面ＨＳを有する。吸着面ＨＳは、吸着部材６の下面を含む。吸着面ＨＳは、ＸＹ平面と実質的に平行である。
【００５７】
吸着部材６は、本体部材６０と、生地Ｃを上方から吸着保持する第１吸引部材６１と、生地Ｃを上方から吸着保持する第２吸引部材６２とを有する。本実施形態において、吸着面ＨＳは、第１吸引部材６１に設けられている吸着面ＨＳ１と、第２吸引部材６２に設けられている吸着面ＨＳ２とを含む。
【００５８】
吸着面ＨＳ１は、第１吸引部材６１の下面を含む。吸着面ＨＳ１は、ＸＹ平面と実質的に平行である。ＸＹ平面内において、吸着面ＨＳ１の外形は、四角形状である。吸着面ＨＳ２は、第２吸引部材６２の下面を含む。吸着面ＨＳ２は、ＸＹ平面と実質的に平行である。ＸＹ平面内において、吸着面ＨＳ２の外形は、円形状である。吸着面ＨＳ１と吸着面ＨＳ２とは、同一平面内に配置される。第１吸引部材６１の吸着面ＨＳ１は、第２吸引部材６２の吸着面ＨＳ２よりも大きい。
【００５９】
本体部材６０は、フレーム状の部材である。本体部材６０は、第１部材６０Ａと、第２部材６０Ｂと、第３部材６０Ｃと、第４部材６０Ｄとを有する。第１部材６０Ａ、第２部材６０Ｂ、第３部材６０Ｃ、及び第４部材６０Ｄはそれぞれ、棒状の部材である。第１部材６０Ａと第２部材６０Ｂとは実質的に平行に配置される。第３部材６０Ｃと第４部材６０Ｄとは実質的に平行に配置される。
【００６０】
第１部材６０Ａは、第２部材６０Ｂよりも長い。第３部材６０Ｃは、第１部材６０Ａの一端部及び第２部材６０Ｂの一端部のそれぞれに接続される。第４部材６０Ｄは、第１部材６０Ａの中間部及び第２部材６０Ｂの他端部のそれぞれに接続される。第３部材６０Ｃは、第１部材６０Ａ及び第２部材６０Ｂのそれぞれと直交する。第４部材６０Ｄは、第１部材６０Ａ及び第２部材６０Ｂのそれぞれと直交する。
【００６１】
また、本体部材６０は、第５部材６０Ｅ及び第６部材６０Ｆを有する。第５部材６０Ｅ及び第６部材６０Ｆはそれぞれ、棒状の部材である。
【００６２】
第５部材６０Ｅ及び第６部材６０Ｆは、第３部材６０Ｃと第４部材６０Ｄとの間に配置される。第３部材６０Ｃと第４部材６０Ｄと第５部材６０Ｅと第６部材６０Ｆとは、実質的に平行に配置される。第５部材６０Ｅの一端部は、第１部材６０Ａに接続される。第５部材６０Ｅの他端部は、第２部材６０Ｂに接続される。第６部材６０Ｆの一端部は、第１部材６０Ａと接続される。第６部材６０Ｆの他端部は、第２部材６０Ｂと接続される。第５部材６０Ｅは、第６部材６０Ｆよりも第３部材６０Ｃに近い位置に配置される。
【００６３】
第１吸引部材６１は、内部空間を有する箱状の部材である。第１吸引部材６１は、上板６１Ａと、下板６１Ｂと、上板６１Ａと下板６１Ｂとの間に配置される側板６１Ｃとを有する。
【００６４】
上板６１Ａは、第１部材６０Ａの一部、第２部材６０Ｂの一部、第３部材６０Ｃ、第５部材６０Ｅ、及び第６部材６０Ｆのそれぞれに接続される。下板６１Ｂは、生地Ｃと対向可能な吸着面ＨＳ１を有する。吸着面ＨＳ１は、下板６１Ｂの下面である。側板６１Ｃは、フレーム状の板部材であり、上板６１Ａ及び下板６１Ｂのそれぞれに接続される。上板６１Ａと下板６１Ｂと側板６１Ｃとによって、第１吸引部材６１の内部空間が規定される。
【００６５】
下板６１Ｂは、複数の吸引口を有する。吸引口は、下板６１Ｂの吸着面ＨＳ１と上面とを貫通する貫通孔を含む。すなわち、下板６１Ｂは、多孔板である。貫通孔は、第１吸引部材６１の内部空間と外部空間とを接続する。吸引口は、下板６１Ｂの下面において一定の間隔で複数配置される。
【００６６】
吸着部材６は、真空系７０と接続されるコネクタ６４を有する。コネクタ６４は、上板６１Ａに複数設けられる。コネクタ６４は、第１吸引部材６１の内部空間と接続される。真空系７０が作動すると、第１吸引部材６１の内部空間の気体がコネクタ６４を介して真空系７０に吸引される。下板６１Ｂの吸着面ＨＳ１と生地Ｃとが接触した状態で真空系７０が作動することにより、第１吸引部材６１は、生地Ｃを上方から吸着面ＨＳ１で吸着保持することができる。
【００６７】
第２吸引部材６２は、複数設けられる。複数の第２吸引部材６２のそれぞれは、生地Ｃと対向可能な吸着面ＨＳ２を有する。
【００６８】
第２吸引部材６２は、吸着面ＨＳ２に設けられた吸引口を有する。第２吸引部材６２の吸引口は、真空系７０に接続される。第２吸引部材６２の吸着面ＨＳ２と生地Ｃとが接触した状態で真空系７０が作動することにより、第２吸引部材６２は、生地Ｃを上方から吸着面ＨＳ２で吸着保持することができる。
【００６９】
第１部材６０Ａの一部は、第４部材６０Ｄから突出する。また、吸着部材６は、第４部材６０Ｄに移動可能に支持される第１支持部材６５及び第２支持部材６６を有する。第１支持部材６５及び第２支持部材６６のそれぞれは、棒状の部材である。第１部材６０Ａと第１支持部材６５と第２支持部材６６とは、実質的に平行に配置される。
【００７０】
第１支持部材６５は、固定機構６７により第４部材６０Ｄに固定される。固定機構６７は、解放可能に第１支持部材６５を固定する。第２支持部材６６は、固定機構６８により第４部材６０Ｄに固定される。固定機構６８は、解放可能に第２支持部材６６を固定する。
【００７１】
第４部材６０Ｄは、第１支持部材６５及び第２支持部材６６を第４部材６０Ｄの長手方向にガイドするガイド機構６９を有する。第１支持部材６５及び第２支持部材６６のそれぞれは、第４部材６０Ｄに設けられているガイド機構６９にガイドされながら、第４部材６０Ｄの長手方向に移動可能である。
【００７２】
固定機構６７による第１支持部材６５と第４部材６０Ｄとの固定が解除されると、第１支持部材６５は、ガイド機構６９にガイドされて第４部材６０Ｄの長手方向に移動可能である。固定機構６７により第１支持部材６５と第４部材６０Ｄとが固定されると、第４部材６０Ｄの長手方向における第１支持部材６５の位置が固定される。
【００７３】
固定機構６８による第２支持部材６６と第４部材６０Ｄとの固定が解除されると、第２支持部材６６は、ガイド機構６９にガイドされて第４部材６０Ｄの長手方向に移動可能である。固定機構６８により第２支持部材６６と第４部材６０Ｄとが固定されると、第４部材６０Ｄの長手方向における第２支持部材６６の位置が固定される。
【００７４】
第４部材６０Ｄから突出する第１部材６０Ａは、複数の第２吸引部材６２を支持する。第１支持部材６５は、複数の第２吸引部材６２を支持する。第２支持部材６６は、複数の第２吸引部材６２を支持する。
【００７５】
本実施形態において、第２吸引部材６２は、第１部材６０Ａの長手方向に間隔をあけて３つ設けられる。第２吸引部材６２は、第１支持部材６５の長手方向に間隔をあけて３つ設けられる。第２吸引部材６２は、第２支持部材６６の長手方向に間隔をあけて３つ設けられる。すなわち、本実施形態において、第２吸引部材６２は、９つ設けられる。
【００７６】
第１支持部材６５が第４部材６０Ｄの長手方向に移動されることにより、第２吸引部材６２の位置が調整される。第２支持部材６６が第４部材６０Ｄの長手方向に移動されることにより、第２吸引部材６２の位置が調整される。例えば生地Ｃの大きさに合わせて第１支持部材６５及び第２支持部材６６が移動されることにより、第２吸引部材６２による生地Ｃの吸着位置が調整される。
【００７７】
吸着部材６は、ロボット５と連結される連結部材７１を有する。連結部材７１は、第５部材６０Ｅ及び第６部材６０Ｆに固定されているプレート部材７２に支持される。連結部材７１は、円柱状の部材である。第５部材６０Ｅ及び第６部材６０Ｆの長手方向において、連結部材７１は、第５部材６０Ｅの中央部及び第６部材６０Ｆの中央部に固定される。
【００７８】
生地搬送装置４は、吸着部材６に対して移動可能な可動部材６３を有する。可動部材６３は、吸着部材６に移動可能に支持される。本実施形態において、可動部材６３は、第３部材６０Ｃに移動可能に支持される。第３部材６０Ｃの長手方向において、可動部材６３の寸法は、第３部材６０Ｃの寸法よりも小さい。図５の矢印Ｒａで示すように、可動部材６３は、吸着面ＨＳと直交する上下方向に移動可能である。可動部材６３は、吸着部材６の吸着面ＨＳに対して移動可能である。
【００７９】
吸着部材６は、可動部材６３を上下方向に移動させる動力を発生するアクチュエータ７３を有する。アクチュエータ７３は、例えばエアシリンダを含む。可動部材６３は、アクチュエータ７３の作動により、上下方向に移動可能である。
【００８０】
図７は、本実施形態に係る可動部材６３の動作の一例を模式的に示す側面図である。図７（Ａ）に示すように、可動部材６３の上下方向の可動範囲において、可動部材６３が可動範囲の上端部に配置されているとき、可動部材６３の下端部は、吸着部材６の吸着面ＨＳよりも上方に配置される。換言すれば、可動部材６３が可動範囲の上端部に配置されているとき、可動部材６３の下端部は、吸着部材６の吸着面ＨＳよりも下方に突出しない。
【００８１】
図７（Ｂ）に示すように、可動部材６３の上下方向の可動範囲において、可動部材６３が可動範囲の下端部に配置されているとき、可動部材６３の下端部は、吸着部材６の吸着面ＨＳよりも下方に配置される。換言すれば、可動部材６３が可動範囲の下端部に配置されているとき、可動部材６３の下端部は、吸着部材６の吸着面ＨＳよりも下方に突出する。
【００８２】
図７（Ａ）に示すように、吸着面ＨＳで生地Ｃを吸着保持するとき、可動部材６３の下端部は、吸着部材６の吸着面ＨＳよりも上方に配置される。図７（Ｂ）に示すように、吸着面ＨＳで生地Ｃが吸着保持されていない状態において、吸着部材６の吸着面ＨＳよりも下方に配置されている可動部材６３の下端部は、生地Ｃと接触可能である。
【００８３】
図６に示すように、前身頃Ｃａ及び後身頃Ｃｂを含む生地Ｃは、２つの肩部分Ｋと、２つの脇部分Ｗとを有する。肩部分Ｋは、右肩部分ＫＲ及び左肩部分ＫＬを含む。脇部分Ｗは、右脇部分ＷＲ及び左脇部分ＷＬを含む。
【００８４】
肩部分Ｋを含む生地Ｃの上部は、第１吸引部材６１に吸着保持される。第１吸引部材６１の吸着面ＨＳ１は十分に大きく、肩部分Ｋ全体を一括して吸着保持することができる。吸着部材６は、第１吸引部材６１を使って、肩部分Ｋの位置ずれを抑制しつつ生地Ｃの上部を安定して保持することができる。
【００８５】
脇部分Ｗを含む生地Ｃの下部は、第２吸引部材６２に吸着保持される。第２吸引部材６２の重量は、第１吸引部材６１の重量よりも十分に小さい。また、第２吸引部材６２を保持する第１部材６０Ａ、第１支持部材６５、及び第２支持部材６６のそれぞれは、棒状の部材であり、軽量である。これにより、吸着部材６の軽量化が図られる。
【００８６】
＜制御装置＞
図８は、本実施形態に係る縫製システム１の制御装置１０の一例を示す機能ブロック図である。縫製システム１は、制御装置１０を有する。制御装置１０は、コンピュータシステムを含み、縫製システム１を制御する。制御装置１０は、ＣＰＵ（Central  Processing  Unit）のようなプロセッサを含む演算処理装置と、ＲＯＭ（Read  Only  Memory）又はＲＡＭ（Random  Access  Memory）のようなメモリ及びストレージを含む記憶装置とを有する。演算処理装置は、記憶装置に記憶されているコンピュータプログラムに従って演算処理を実施する。
【００８７】
図８に示すように、制御装置１０は、第１ミシン２１、第２ミシン２２、第１生地供給装置３１に配置されている検出装置３１３、第２生地供給装置３２に配置されている検出装置３２３、及び生地搬送装置４のそれぞれと接続される。
【００８８】
制御装置１０は、前身頃Ｃａの位置データを取得する前身頃位置データ取得部１１と、後身頃Ｃｂの位置データを取得する後身頃位置データ取得部１２と、第１ミシン２１を制御する制御信号を出力する第１ミシン制御部１３と、第２ミシン２２を制御する制御信号を出力する第２ミシン制御部１４と、生地搬送装置４を制御する制御信号を出力する搬送制御部１５と、記憶部１６と、入出力部１７とを有する。
【００８９】
前身頃位置データ取得部１１は、第１生地供給装置３１に配置されている検出装置３１３の検出データに基づいて、前身頃Ｃａの位置データを取得する。前身頃位置データ取得部１１は、ＸＹ平面内における前身頃Ｃａの位置データを取得する。本実施形態において、検出装置３１３は、検出データとして、設置台３１２に設置されている前身頃Ｃａの画像データを取得する。検出装置３１３は、少なくとも肩部分Ｋ及び脇部分Ｗを含む前身頃Ｃａの周縁部分の画像データを取得する。検出装置３１３は、前身頃Ｃａの画像データを、設置台３１２に設けられている基準マークの画像データとともに取得する。なお、基準マークは、検出装置３１３の光学系に設けられていてもよい。前身頃位置データ取得部１１は、前身頃Ｃａの画像データ及び基準マークの画像データを検出装置３１３から取得する。前身頃位置データ取得部１１は、前身頃Ｃａの画像データ及び基準マークの画像データを画像処理する。前身頃位置データ取得部１１は、前身頃Ｃａの画像データ及び基準マークの画像データを画像処理して、基準マークと前身頃Ｃａの周縁部分との相対位置を算出する。ＸＹ平面内における基準マークの位置データは既知データであり、記憶部１６に記憶されている。前身頃位置データ取得部１１は、記憶部１６に記憶されている基準マークの位置データと、検出装置３１３の検出データに基づいて算出された基準マークと前身頃Ｃａの周縁部分との相対位置とに基づいて、ＸＹ平面内における前身頃Ｃａの周縁部分の位置データを算出する。
【００９０】
後身頃位置データ取得部１２は、第２生地供給装置３２に配置されている検出装置３２３の検出データに基づいて、後身頃Ｃｂの位置データを取得する。後身頃位置データ取得部１２は、ＸＹ平面内における後身頃Ｃｂの位置データを取得する。検出装置３１３と同様、検出装置３２３は、少なくとも肩部分Ｋ及び脇部分Ｗを含む後身頃Ｃｂの周縁部分の画像データを、設置台３２２に設けられている基準マークの画像データとともに取得する。なお、基準マークは、検出装置３２３の光学系に設けられていてもよい。後身頃位置データ取得部１２は、記憶部１６に記憶されている基準マークの位置データと、検出装置３２３の検出データに基づいて算出された基準マークと後身頃Ｃｂの周縁部分との相対位置とに基づいて、ＸＹ平面内における後身頃Ｃｂの周縁部分の位置データを算出する。
【００９１】
第１ミシン制御部１３は、ラベル供給装置８、ラベル搬送装置９、及びミシンヘッド２１２のそれぞれを制御する。
【００９２】
第２ミシン制御部１４は、支持装置２４１、生地位置調整装置２５０、及びミシンヘッド２２２のそれぞれを制御する。
【００９３】
搬送制御部１５は、前身頃位置データ取得部１１で取得された前身頃Ｃａの位置データに基づいて、生地搬送装置４を制御する。搬送制御部１５は、縫製システム１に規定されているＸＹＺ直交座標系においてロボット５を移動させる。ロボット５の移動量は、ロボット５に設けられているエンコーダのような移動量センサによって検出される。搬送制御部１５は、設置台３１２に設置されているときの前身頃Ｃａの位置データを基準として、吸着部材６を介して前身頃Ｃａを保持しているロボット５の移動量を制御することによって、ＸＹ平面内における目標位置に前身頃Ｃａを搬送することができる。同様に、搬送制御部１５は、後身頃位置データ取得部１２で取得された後身頃Ｃｂの位置データに基づいて生地搬送装置４を制御することにより、ＸＹ平面内における目標位置に後身頃Ｃｂを搬送することができる。
【００９４】
［動作］
次に、本実施形態に係る縫製システム１の動作の一例について説明する。
【００９５】
＜前身頃の搬送ルート＞
図９は、本実施形態に係る前身頃Ｃａを搬送する生地搬送装置４の動作の一例を模式的に示す平面図である。生地搬送装置４は、第１生地供給装置３１から供給された前身頃Ｃａを保持して第２ミシン２２に搬送する。第１生地供給装置３１において、第１ピックアップ装置により、１枚の前身頃Ｃａが設置台３１２に設置される。搬送制御部１５は、生地搬送装置４を制御して、設置台３１２に設置されている前身頃Ｃａと対向する第１供給位置ＰＦ１に生地搬送装置４を移動させる。
【００９６】
生地搬送装置４は、設置台３１２に設置されている前身頃Ｃａを上方から保持する。搬送制御部１５は、前身頃Ｃａを保持した生地搬送装置４を第２ミシン２２に移動させる。第１生地供給装置３１において前身頃Ｃａを保持した生地搬送装置４は、前身頃Ｃａを第２ミシン２２に搬送する。生地搬送装置４は、前身頃Ｃａを設置台３１２から１枚ずつ搬送する。
【００９７】
生地搬送装置４は、検出装置３１３の検出結果に基づいて、前身頃Ｃａの位置を調整する。搬送制御部１５は、前身頃位置データ取得部１１で取得された前身頃Ｃａの位置データに基づいて、ロボット５の移動量を制御する。図９に示すように、搬送制御部１５は、ロボット５を制御して、第２ミシン２２のテーブル２２１と対向する第２ミシン位置ＰＨ２に、前身頃Ｃａを保持した吸着部材６を移動させる。
【００９８】
生地搬送装置４は、検出装置３１３の検出結果に基づいて、第２ミシン２２において前身頃Ｃａの位置を調整する。搬送制御部１５は、第２ミシン２２に規定されている前身頃Ｃａの目標位置に前身頃Ｃａが配置されるように生地搬送装置４の位置を調整する。前身頃Ｃａが第２ミシン２２に規定されている前身頃Ｃａの目標位置に配置された後、生地搬送装置４は、吸着面ＨＳによる前身頃Ｃａの吸着保持を解除する。これにより、前身頃Ｃａは、第２ミシン２２に渡され、テーブル２２１に設置される。
【００９９】
＜後身頃の搬送ルート＞
図１０は、本実施形態に係る後身頃Ｃｂを搬送する生地搬送装置４の動作の一例を模式的に示す平面図である。生地搬送装置４は、第２生地供給装置３２から供給された後身頃Ｃｂを保持して第１ミシン２１に搬送する。第２生地供給装置３２において、第２ピックアップ装置により、１枚の後身頃Ｃｂが設置台３２２に設置される。搬送制御部１５は、生地搬送装置４を制御して、設置台３２２に設置されている後身頃Ｃｂと対向する第２供給位置ＰＦ２に生地搬送装置４を移動させる。
【０１００】
生地搬送装置４は、設置台３２２に設置されている後身頃Ｃｂを上方から保持する。搬送制御部１５は、後身頃Ｃｂを保持した生地搬送装置４を第１ミシン２１に移動させる。第２生地供給装置３２において後身頃Ｃｂを保持した生地搬送装置４は、後身頃Ｃｂを第１ミシン２１に搬送する。生地搬送装置４は、後身頃Ｃｂを設置台３２２から１枚ずつ搬送する。
【０１０１】
生地搬送装置４は、検出装置３２３の検出結果に基づいて、後身頃Ｃｂの位置を調整する。搬送制御部１５は、後身頃位置データ取得部１２で取得された後身頃Ｃｂの位置データに基づいて、ロボット５の移動量を制御する。図１０に示すように、搬送制御部１５は、ロボット５を制御して、第１ミシン２１のテーブル２１１と対向する第１ミシン位置ＰＨ１に、後身頃Ｃｂを保持した吸着部材６を移動させる。
【０１０２】
生地搬送装置４は、検出装置３２３の検出結果に基づいて、第１ミシン２１において後身頃Ｃｂの位置を調整する。搬送制御部１５は、第１ミシン２１に規定されている後身頃Ｃｂの目標位置に後身頃Ｃｂが配置されるように生地搬送装置４の位置を調整する。
【０１０３】
本実施形態において、生地搬送装置４は、第１ミシン２１のミシンヘッド２１２の縫合において、後身頃Ｃｂを保持する。すなわち、第１ミシン２１における後身頃ＣｂとラベルＬとの縫合において、生地搬送装置４は、後身頃Ｃｂを保持し続ける。後身頃Ｃｂは、生地搬送装置４に保持された状態で、第１ミシン２１においてラベルＬと縫合される。
【０１０４】
生地搬送装置４は、ラベルＬとの縫合が終了した後身頃Ｃｂを第１ミシン２１から第２ミシン２２に搬送する。図１０に示すように、搬送制御部１５は、ロボット５を制御して、第２ミシン２２のテーブル２２１と対向する第２ミシン位置ＰＨ２に、後身頃Ｃｂを保持した吸着部材６を移動させる。
【０１０５】
生地搬送装置４は、検出装置３２３の検出結果に基づいて、第２ミシン２２において後身頃Ｃｂの位置を調整する。搬送制御部１５は、第２ミシン２２に規定されている後身頃Ｃｂの目標位置に後身頃Ｃｂが配置されるように生地搬送装置４の位置を制御する。後身頃Ｃｂが第２ミシン２２に規定されている後身頃Ｃｂの目標位置に配置された後、生地搬送装置４は、吸着面ＨＳによる後身頃Ｃｂの吸着保持を解除する。これにより、後身頃Ｃｂは、第２ミシン２２に渡され、テーブル２２１に設置される。
【０１０６】
このように、本実施形態においては、生地搬送装置４は、第２生地供給装置３２から第１ミシン２１までの後身頃Ｃｂの搬送、第１ミシン２１の縫合、及び第１ミシン２１から第２ミシン２２までの後身頃Ｃｂの搬送において、後身頃Ｃｂを保持し続ける。
【０１０７】
本実施形態においては、単一のロボット５及び吸着部材６を使って生地供給装置３から供給された前身頃Ｃａ及び後身頃Ｃｂを第２ミシン２２に搬送するとき、前身頃Ｃａの搬送ルートと後身頃Ｃｂの搬送ルートとは異なる。前身頃Ｃａは、第１生地供給装置３１から第２ミシン２２のテーブル２２１にダイレクトに搬送される。後身頃Ｃｂは、第２生地供給装置３２から第１ミシン２１を経由して第２ミシン２２のテーブル２２１に搬送される。
【０１０８】
＜生地供給装置からの生地の搬出＞
図１１は、本実施形態に係る生地供給装置３における生地搬送装置４の動作の一例を模式的に示す側面図である。図１１は、生地搬送装置４が第１生地供給装置３１の設置台３１２から前身頃Ｃａを搬出するときの動作を模式的に示す図である。
【０１０９】
生地搬送装置４は、前身頃Ｃａを上方から真空吸着保持して搬送する。支持装置３４は、生地搬送装置４の吸着部材６の吸着面ＨＳと対向可能な位置においてプレート部材３３を支持する。
【０１１０】
設置台３１２のプレート部材３３に前身頃Ｃａが設置されている状態で、検出装置３１３は、前身頃Ｃａの画像データを取得する。検出装置３１３で取得された前身頃Ｃａの画像データは、前身頃位置データ取得部１１に取得される。前身頃位置データ取得部１１は、前身頃Ｃａの画像データに基づいて、ＸＹ平面内における前身頃Ｃａの位置を算出する。
【０１１１】
プレート部材３３の孔３７は、微小である。本実施形態において、プレート部材３３の孔３７の直径φは、２［ｍｍ］以下である。そのため、検出装置３１３で取得された前身頃Ｃａの画像データに孔３７が映り込んでも、前身頃位置データ取得部１１における画像処理に影響を及ぼすことが抑制される。
【０１１２】
搬送制御部１５は、生地搬送装置４を、設置台３１２のプレート部材３３に設置されている前身頃Ｃａと対向する第１供給位置ＰＦ１に移動させる。生地搬送装置４が第１供給位置ＰＦ１に移動された後、搬送制御部１５は、吸着面ＨＳの吸引動作を実施しながら生地搬送装置４を下降させる。これにより、生地搬送装置４の吸着面ＨＳとプレート部材３３の上面に設置されている前身頃Ｃａとが接触し、前身頃Ｃａは、生地搬送装置４の吸着面ＨＳに真空吸着保持される。生地搬送装置４は、プレート部材３３の上面３３Ｓに設置されている前身頃Ｃａを上方から真空吸着保持する。
【０１１３】
本実施形態においては、プレート部材３３に孔３７が設けられている。これにより、生地搬送装置４とプレート部材３３に設置されている前身頃Ｃａとが接近又は接触した状態で、生地搬送装置４の吸着面ＨＳの吸引孔から気体が吸引されるとき、図１１の矢印Ｆで示すように、プレート部材３３の下面３３Ｔ側の空間の気体が、孔３７を介してプレート部材３３の上面３３Ｓ側の空間に流れる。これにより、生地搬送装置４の吸着面ＨＳによる前身頃Ｃａの真空吸着保持は安定して実施される。
【０１１４】
本実施形態において、ロボット５は、水平多関節ロボットであり、Ｘ軸方向、Ｙ軸方向、Ｚ軸方向、及びθＺ方向の４つの方向に移動可能である。生地搬送装置４の吸着面ＨＳは、Ｘ軸方向、Ｙ軸方向、Ｚ軸方向、及びθＺ方向に移動可能である。支持装置３４は、プレート部材３３を揺動可能に支持するフローティング機能を有する。プレート部材３３は、θＸ方向、θＹ方向、及びＺ軸方向の少なくとも１つの方向に移動可能に支持装置３４に支持される。
【０１１５】
すなわち、本実施形態においては、ＸＹ平面内及びＺ軸方向にのみ移動可能な生地搬送装置４の吸着面ＨＳに対して、前身頃Ｃａを支持するプレート部材３３は、θＸ方向、θＹ方向、及びＺ軸方向に移動可能である。したがって、生地搬送装置４の吸着面ＨＳとプレート部材３３の上面３３Ｓとが平行でなくても、生地搬送装置４を下降させて生地搬送装置４の吸着面ＨＳとプレート部材３３の上面３３Ｓに設置されている前身頃Ｃａとを接触させるとき、生地搬送装置４の吸着面ＨＳとプレート部材３３の上面３３Ｓとが平行になるようにプレート部材３３が揺動する。これにより、生地搬送装置４の吸着面ＨＳとプレート部材３３の上面３３Ｓとは十分に接触することができ、前身頃Ｃａは、生地搬送装置４の吸着面ＨＳに安定して真空吸着保持される。
【０１１６】
なお、図１１を参照して、生地搬送装置４が第１生地供給装置３１から前身頃Ｃａを搬出する動作について説明した。生地搬送装置４が第２生地供給装置３２から後身頃Ｃｂを搬出する動作は、第１生地供給装置３１から前身頃Ｃａを搬出する動作と同様であるため説明を省略する。
【０１１７】
＜第１ミシンにおける生地搬送装置の動作＞
図１２は、本実施形態に係る第１ミシン２１における生地搬送装置４の動作の一例を模式的に示す斜視図である。
【０１１８】
第１ミシン２１は、生地搬送装置４と協働して後身頃ＣｂとラベルＬとを縫合する。図１２に示すように、第１ミシン２１は、後身頃Ｃｂが設置される設置面２１１Ｓを有するテーブル２１１と、テーブル２１１に設置された後身頃ＣｂとラベルＬとを縫合するミシンヘッド２１２とを有する。
【０１１９】
ミシンヘッド２１２は、ミシン針２１３を上下方向に移動させる駆動機構２１４と、テーブル２１１に設置された後身頃Ｃｂを上方から押える第１押え部材２１５と、後身頃Ｃｂ上に設置されたラベルＬを上方から押える第２押え部材２１６とを有する。
【０１２０】
生地搬送装置４は、ミシンヘッド２１２による後身頃ＣｂとラベルＬとの縫合において、後身頃Ｃｂを保持する。搬送制御部１５は、後身頃Ｃｂの目標部位にラベルＬが縫合されるように、検出装置３１３の検出結果に基づいて、生地搬送装置４を移動させる。本実施形態において、搬送制御部１５は、後身頃Ｃｂの脇部分Ｗの目標部位が第１縫合位置ＰＭ１に配置されるように、検出装置３１３の検出結果に基づいて、生地搬送装置４に保持されている後身頃Ｃｂの位置を調整する。
【０１２１】
本実施形態においては、後身頃Ｃｂの脇部分Ｗの位置を検出する位置センサ２１７が第１ミシン２１に設けられる。位置センサ２１７は、後身頃Ｃｂの周縁部分に検出光を照射して、脇部分Ｗの位置を光学的に検出する。搬送制御部１５は、後身頃Ｃｂの脇部分Ｗの目標部位が第１縫合位置ＰＭ１に配置されるように、位置センサ２１７の検出結果に基づいて、後身頃Ｃｂを保持した生地搬送装置４の位置を調整する。すなわち、本実施形態において、搬送制御部１５は、位置センサ２１７の検出結果に基づいて、後身頃Ｃｂの脇部分Ｗの目標部位と第１縫合位置ＰＭ１との相対位置を調整する。
【０１２２】
ミシンヘッド２１２は、後身頃Ｃｂ及びラベルＬを縫製方向に送りながら後身頃ＣｂとラベルＬとを縫合する。生地搬送装置４は、ミシンヘッド２１２の縫合と同期して、後身頃Ｃｂを保持して縫製方向に移動する。図１２に示す例において、縫製方向は、Ｘ軸方向である。
【０１２３】
第１ミシン制御部１３は、後身頃ＣｂとラベルＬとが規定の縫製方向に送られながら縫合されるように第１ミシン２１を制御する。第１ミシン２１は、後身頃Ｃｂ及びラベルＬを規定の縫製方向に送りながらミシン針２１３を上下方向に移動させて、後身頃ＣｂとラベルＬとを縫合する。搬送制御部１５は、第１ミシン２１による後身頃Ｃｂ及びラベルＬの縫製方向の送り動作と同期して、後身頃Ｃｂを保持した生地搬送装置４を規定の縫製方向に移動させる。生地搬送装置４は、第１ミシン２１による後身頃Ｃｂ及びラベルＬの縫製方向の送り動作と同期して、後身頃Ｃｂを保持した状態で規定の縫製方向に移動する。これにより、第１ミシン２１による後身頃ＣｂとラベルＬとの縫合は円滑に実施される。
【０１２４】
本実施形態において、生地搬送装置４は、後身頃Ｃｂをテーブル２１１に押さえ付ける。搬送制御部１５は、生地搬送装置４の重量よりも大きい荷重がテーブル２１１に作用するように、生地搬送装置４をテーブル２１１に押し付けながら、規定の縫製方向に移動させる。
【０１２５】
本実施形態においては、ラベルＬと縫合される後身頃Ｃｂの脇部分Ｗの目標部位は、第１部材６０Ａに設けられている一対の第２吸引部材６２の間に配置される。ラベルＬと縫合される脇部分Ｗの目標部位は、吸着部材６で覆われていない。これにより、第１押え部材２１５及び第２押え部材２１６は、後身頃Ｃｂの脇部分Ｗを上方から円滑に押えることができる。また、ラベルＬと縫合される脇部分Ｗの目標部位が吸着部材６で覆われていないため、ミシン針２１３による縫合は円滑に実施される。
【０１２６】
＜第２ミシンにおける生地搬送装置及び生地位置調整装置の動作＞
次に、第２ミシン２２における生地搬送装置４及び生地位置調整装置２５０の動作の一例について説明する。上述のように、本実施形態において、第２ミシン２２は、前身頃Ｃａの肩部分Ｋと後身頃Ｃｂの肩部分Ｋとを縫合する肩合わせ縫いミシンである。
【０１２７】
図１３は、本実施形態に係る前身頃Ｃａ及び後身頃Ｃｂのそれぞれを模式的に示す図である。図１３に示すように、前身頃Ｃａは、２つの肩部分Ｋ及び２つの脇部分Ｗを有する。後身頃Ｃｂは、２つの肩部分Ｋ及び２つの脇部分Ｗを有する。２つの肩部分Ｋは、一方の肩部分Ｋである左肩部分ＫＬと他方の肩部分Ｋである右肩部分ＫＲとを含む。２つの脇部分Ｗは、一方の脇部分Ｗである左脇部分ＷＬと他方の脇部分Ｗである右脇部分ＷＲとを含む。第２ミシン２２においては、前身頃Ｃａの左肩部分ＫＬと後身頃Ｃｂの左肩部分ＫＬとの縫合、及び前身頃Ｃａの右肩部分ＫＲと後身頃Ｃｂの右肩部分ＫＲとの縫合が実施される。
【０１２８】
図１４は、本実施形態に係る前身頃Ｃａと後身頃Ｃｂとを重ね合わせた状態を模式的に示す図である。図１４に示すように、前身頃Ｃａの肩部分Ｋと後身頃Ｃｂの肩部分Ｋとを縫合するとき、第２ミシン２２において、前身頃Ｃａと後身頃Ｃｂとが重ね合わせられる。前身頃Ｃａと後身頃Ｃｂとを重ね合わせたとき、前身頃Ｃａの肩部分Ｋの位置と後身頃Ｃｂの肩部分Ｋの位置とが一致しない可能性がある。例えば、図１４に示すように、前身頃Ｃａの左肩部分ＫＬの位置と後身頃Ｃｂの左肩部分ＫＬの位置とが一致するように前身頃Ｃａと後身頃Ｃｂとを重ね合わせたとき、前身頃Ｃａの右肩部分ＫＲの位置と後身頃Ｃｂの右肩部分ＫＲの位置とがずれてしまう可能性がある。なお、前身頃Ｃａの肩部分Ｋの位置と後身頃Ｃｂの肩部分Ｋの位置とが一致しない原因として、例えば生地Ｃの伸び又は裁断ずれなどが挙げられる。
【０１２９】
前身頃Ｃａの肩部分Ｋの位置と後身頃Ｃｂの肩部分Ｋの位置とが一致しない状態で、前身頃Ｃａの肩部分Ｋと後身頃Ｃｂの肩部分Ｋとが縫合されてしまうと、不良な衣料が製造されてしまう。
【０１３０】
生地位置調整装置２５０は、前身頃Ｃａの肩部分Ｋの位置と後身頃Ｃｂの肩部分Ｋの位置とのずれを補正する。生地位置調整装置２５０は、前身頃Ｃａの左肩部分ＫＬの位置と後身頃Ｃｂの左肩部分ＫＬの位置とが一致するように前身頃Ｃａと後身頃Ｃｂとを重ね合わせたとき、前身頃Ｃａの右肩部分ＫＲの位置と後身頃Ｃｂの右肩部分ＫＲの位置とのずれ量Ｇが小さくなるように、前身頃Ｃａの右肩部分ＫＲの位置を調整する。
【０１３１】
前身頃Ｃａが第２ミシン２２に搬送される前、ＸＹ平面内における前身頃Ｃａの左肩部分ＫＬの位置及び前身頃Ｃａの右肩部分ＫＲの位置が、第１生地供給装置３１に配置されている検出装置３１３によって検出される。後身頃Ｃｂが第２ミシン２２に搬送される前、ＸＹ平面内における後身頃Ｃｂの左肩部分ＫＬの位置及び後身頃Ｃｂの右肩部分ＫＲの位置が、第２生地供給装置３２に配置されている検出装置３２３によって検出される。
【０１３２】
前身頃位置データ取得部１１は、検出装置３１３で取得された画像データに基づいて、ＸＹ平面内における前身頃Ｃａの左肩部分ＫＬの位置データ及び前身頃Ｃａの右肩部分ＫＲの位置データを算出する。後身頃位置データ取得部１２は、検出装置３２３で取得された画像データに基づいて、ＸＹ平面内における後身頃Ｃｂの左肩部分ＫＬの位置データ及び後身頃Ｃｂの右肩部分ＫＲの位置データを算出する。
【０１３３】
第２ミシン制御部１４は、前身頃位置データ取得部１１で算出された前身頃Ｃａの左肩部分ＫＬの位置データ及び前身頃Ｃａの右肩部分ＫＲの位置データと、後身頃位置データ取得部１２で算出された後身頃Ｃｂの左肩部分ＫＬの位置データ及び後身頃Ｃｂの右肩部分ＫＲの位置データとに基づいて、前身頃Ｃａの左肩部分ＫＬの位置と後身頃Ｃｂの左肩部分ＫＬの位置とが一致するように前身頃Ｃａと後身頃Ｃｂとを重ね合わせたときの、前身頃Ｃａの右肩部分ＫＲの位置と後身頃Ｃｂの右肩部分ＫＲの位置とのずれ量Ｇを算出する。第２ミシン制御部１４によって算出されたずれ量Ｇは、記憶部１６に記憶される。
【０１３４】
図１５は、本実施形態に係る第２ミシン２２における生地位置調整装置２５０の動作の一例を模式的に示す平面図である。図１５は、生地搬送装置４によって第１生地供給装置３１から第２ミシン２２のテーブル２２１に搬送された前身頃Ｃａを模式的に示す。
【０１３５】
生地搬送装置４は、検出装置３１３の検出結果に基づいて、第２ミシン２２に規定されている目標位置に前身頃Ｃａが設置されるように、前身頃Ｃａをテーブル２２１に搬送する。生地搬送装置４は、前身頃Ｃａの左肩部分ＫＬがテーブル２２１の設置面２２１Ｓに設置され、前身頃Ｃａの右肩部分ＫＲが生地位置調整装置２５０のプレート部材２５１の保持面２５１Ｓに設置されるように、前身頃Ｃａをテーブル２２１に搬送する。
【０１３６】
前身頃Ｃａがテーブル２２１に設置された後、生地位置調整装置２５０は、吸引孔２５３による吸引動作を実施して、プレート部材２５１の保持面２５１Ｓで前身頃Ｃａの右肩部分ＫＲを吸着保持する。これにより、テーブル２２１の設置面２２１Ｓに前身頃Ｃａの左肩部分ＫＬが設置された状態で、プレート部材２５１の保持面２５１Ｓに前身頃Ｃａの右肩部分ＫＲが保持される。
【０１３７】
第２ミシン制御部１４は、生地位置調整装置２５０のアクチュエータ２５２を制御して、設置面２２１Ｓと平行な方向にプレート部材２５１を移動して、前身頃Ｃａの右肩部分ＫＲの位置を調整する。第２ミシン制御部１４は、検出装置３１３の検出結果及び検出装置３２３の検出結果に基づいて算出され記憶部１６に記憶されているずれ量Ｇが小さくなるように、右肩部分ＫＲを吸着保持しているプレート部材２５１を設置面２２１Ｓと平行な方向に移動させる。
【０１３８】
すなわち、第２ミシン制御部１４は、テーブル２２１に設置されている前身頃Ｃａの右肩部分ＫＲと、後にテーブル２２１に搬送される後身頃Ｃｂの右肩部分ＫＲとのずれ量Ｇが小さくなるように、アクチュエータ２５２を制御して、前身頃Ｃａの右肩部分ＫＲを保持しているプレート部材２５１の移動量を調整する。
【０１３９】
これにより、図１５に示すように、前身頃Ｃａの右肩部分ＫＲの位置は、点線で示す位置から実線で示す位置に調整される。プレート部材２５１の移動により前身頃Ｃａの右肩部分ＫＲが移動しても、前身頃Ｃａの左肩部分ＫＬは、テーブル２２１の設置面２２１Ｓとの摩擦力により実質的に静止する。なお、テーブル２２１の設置面２２１Ｓに真空系７０と接続される吸引口が設けられ、前身頃Ｃａの左肩部分ＫＬがテーブル２２１の設置面２２１Ｓに吸着保持されてもよい。前身頃Ｃａの左肩部分ＫＬがテーブル２２１の設置面２２１Ｓに吸着保持されることにより、プレート部材２５１の移動により前身頃Ｃａの右肩部分ＫＲが移動しても、テーブル２２１の設置面２２１Ｓに吸着保持されている前身頃Ｃａの左肩部分ＫＬは、実質的に静止する。
【０１４０】
生地位置調整装置２５０は、テーブル２２１の設置面２２１Ｓに前身頃Ｃａの左肩部分ＫＬが設置された状態で、前身頃Ｃａの右肩部分ＫＲを吸着保持したプレート部材２５１をＸＹ平面内において移動させることにより、ＸＹ平面内における、保持面２５１Ｓに保持されている前身頃Ｃａの右肩部分ＫＲと、設置面２２１Ｓに設置されている前身頃Ｃａの左肩部分ＫＬとの相対位置を調整することができる。
【０１４１】
テーブル２２１に設置されている前身頃Ｃａの右肩部分ＫＲの位置が生地位置調整装置２５０によって調整された後、生地搬送装置４により、後身頃Ｃｂが第２ミシン２２のテーブル２２１に搬送される。搬送制御部１５は、検出装置３２３の検出結果に基づいて、後身頃Ｃｂがテーブル２２１に規定されている目標位置に配置されるように生地搬送装置４を制御して、後身頃Ｃｂの位置を調整する。生地搬送装置４は、第２ミシン２２のテーブル２２１に設置されている前身頃Ｃａと後身頃Ｃｂとが重なり合うように、テーブル２２１に設置されている前身頃Ｃａに対する後身頃Ｃｂの位置を調整する。
【０１４２】
搬送制御部１５は、検出装置３１３及び検出装置３２３の検出結果に基づいて、テーブル２２１の設置面２２１Ｓに設置されている前身頃Ｃａの左肩部分ＫＬと、生地搬送装置４によりテーブル２２１に搬送される後身頃Ｃｂの左肩部分ＫＬとが一致するように、生地搬送装置４を制御する。これにより、テーブル２２１の設置面２２１Ｓにおいて前身頃Ｃａの左肩部分ＫＬの位置と後身頃Ｃｂの左肩部分ＫＬの位置とが一致するように、テーブル２２１に設置されている前身頃Ｃａの上に後身頃Ｃｂが搬送される。生地搬送装置４により後身頃Ｃｂがテーブル２２１に搬送された後、搬送制御部１５は、吸着部材６の吸着面ＨＳによる後身頃Ｃｂの吸着保持を解除する。
【０１４３】
図１６は、本実施形態に係る第２ミシン２２における前身頃Ｃａ及び後身頃Ｃｂの一例を模式的に示す平面図である。テーブル２２１に後身頃Ｃｂが搬送される前に、第２ミシン制御部１４は、ずれ量Ｇが小さくなるように、生地位置調整装置２５０のアクチュエータ２５２を制御して、プレート部材２５１の保持面２５１Ｓに保持されている前身頃Ｃａの右肩部分ＫＲと、生地搬送装置４によって搬送される後身頃Ｃｂの右肩部分ＫＲとの相対位置を調整する。第２ミシン制御部１４は、生地位置調整装置２５０のアクチュエータ２５２を制御して、プレート部材２５１の保持面２５１Ｓにおいて前身頃Ｃａの右肩部分ＫＲの位置と後身頃Ｃｂの右肩部分ＫＲの位置とが一致するようにプレート部材２５１を移動する。すなわち、生地位置調整装置２５０により、テーブル２２１に設置されている前身頃Ｃａの右肩部分ＫＲと左肩部分ＫＬとの相対位置は、生地搬送装置４によって搬送される後身頃Ｃｂの右肩部分ＫＲと左肩部分ＫＬとの相対位置と一致するように調整される。したがって、生地搬送装置４によって、テーブル２２１に設置されている前身頃Ｃａの上に後身頃Ｃｂが搬送されることにより、図１６に示すように、テーブル２２１において、前身頃Ｃａの右肩部分ＫＲの位置と後身頃Ｃｂの右肩部分ＫＲの位置とが一致し、前身頃Ｃａの左肩部分ＫＬの位置と後身頃Ｃｂの左肩部分ＫＬの位置とが一致するように、前身頃Ｃａと後身頃Ｃｂとが重なり合う。
【０１４４】
図１７は、本実施形態に係る第２ミシン２２の動作の一例を模式的に示す平面図である。前身頃Ｃａの右肩部分ＫＲの位置と後身頃Ｃｂの右肩部分ＫＲの位置とが一致し、前身頃Ｃａの左肩部分ＫＬの位置と後身頃Ｃｂの左肩部分ＫＬの位置とが一致するように、前身頃Ｃａと後身頃Ｃｂとが重ね合わせられた後、図１７に示すように、第２ミシン制御部１４は、第１生地押え部材２４０Ｌで前身頃Ｃａの左肩部分ＫＬ及び後身頃Ｃｂの左肩部分ＫＬを固定する。前身頃Ｃａの左肩部分ＫＬ及び後身頃Ｃｂの左肩部分ＫＬは、第１生地押え部材２４０Ｌによって上から押さえ付けられることにより、第１生地押え部材２４０Ｌとテーブル２２１との間において固定される。
【０１４５】
図１８及び図１９は、本実施形態に係る第２ミシン２２における生地搬送装置４の動作の一例を模式的に示す平面図である。第１生地押え部材２４０Ｌで前身頃Ｃａの左肩部分ＫＬ及び後身頃Ｃｂの左肩部分ＫＬが固定された後、図７（Ｂ）を参照して説明したように、搬送制御部１５は、可動部材６３の下端部が吸着面ＨＳよりも下方に配置されるように、吸着部材６の可動部材６３を下降させる。
【０１４６】
搬送制御部１５は、生地搬送装置４の位置を調整して、可動部材６３の下端部と後身頃Ｃｂとを接触させる。搬送制御部１５は、後身頃Ｃｂの少なくとも一部と可動部材６３とが接触した状態で、ロボット５を制御して、後身頃Ｃｂの少なくとも一部と接触した可動部材６３をＸＹ平面内において移動させて、ＸＹ平面内における後身頃Ｃｂの位置及び前身頃Ｃａの位置を調整する。
【０１４７】
図１８に示すように、本実施形態においては、搬送制御部１５は、生地Ｃの右肩部分ＫＲの近傍と可動部材６３とを接触させた状態でＸＹ平面内において生地搬送装置４を移動させて、第１生地押え部材２４０Ｌに固定されている左肩部分ＫＬに対する右肩部分ＫＲの位置を調整する。図１９に示すように、搬送制御部１５は、右肩部分ＫＲと左肩部分ＫＬとが直線状に配置されるように、左肩部分ＫＬに対する右肩部分ＫＲの位置を調整する。
【０１４８】
図２０は、本実施形態に係る第２ミシン２２の動作の一例を模式的に示す平面図である。左肩部分ＫＬに対する右肩部分ＫＲの位置が調整された後、図２０に示すように、第２ミシン制御部１４は、第２生地押え部材２４０Ｒで、右肩部分ＫＲを固定する。これにより、左肩部分ＫＬのシームラインＳＬと右肩部分ＫＲのシームラインＳＲとが同一直線上に配置される。
【０１４９】
［手順］
図２１は、本実施形態に係る縫製システム１の動作の一例を示すフローチャートである。第１生地供給装置３１の収容装置３１１に積層されている複数の前身頃Ｃａのうち最も上に配置されている１枚の前身頃Ｃａが第１ピックアップ装置によって設置台３１２に搬送される。設置台３１２に設置された前身頃Ｃａが検出装置３１３によって検出される。第２生地供給装置３２の収容装置３２１に積層されている複数の後身頃Ｃｂのうち最も上に配置されている１枚の後身頃Ｃｂが第２ピックアップ装置によって設置台３２２に搬送される。設置台３２２に設置された後身頃Ｃｂが検出装置３２３によって検出される。前身頃位置データ取得部１１は、検出装置３１３の検出データに基づいて、ＸＹ平面内における前身頃Ｃａの位置データを算出する。後身頃位置データ取得部１２は、検出装置３２３の検出データに基づいて、ＸＹ平面内における後身頃Ｃｂの位置データを算出する（ステップＳ１０）。
【０１５０】
前身頃Ｃａの位置データは、ＸＹ平面内における、前身頃Ｃａの左肩部分ＫＬ、右肩部分ＫＲ、左脇部分ＷＬ、及び右脇部分ＷＲを含む前身頃Ｃａの周縁部分の位置データを含む。後身頃Ｃｂの位置データは、ＸＹ平面内における、後身頃Ｃｂの左肩部分ＫＬ、右肩部分ＫＲ、左脇部分ＷＬ、及び右脇部分ＷＲを含む後身頃Ｃｂの周縁部分の位置データを含む。
【０１５１】
第２ミシン制御部１４は、ステップＳ１０において算出された前身頃Ｃａの左肩部分ＫＬの位置データ、前身頃Ｃａの右肩部分ＫＲの位置データ、後身頃Ｃｂの左肩部分ＫＬの位置データ、及び後身頃Ｃｂの右肩部分ＫＲの位置データに基づいて、前身頃Ｃａの左肩部分ＫＬの位置と後身頃Ｃｂの左肩部分ＫＬの位置とが一致するように前身頃Ｃａと後身頃Ｃｂとを重ね合わせたときの、前身頃Ｃａの右肩部分ＫＲの位置と後身頃Ｃｂの右肩部分ＫＲの位置とのずれ量Ｇを算出する。記憶部１６は、算出されたずれ量Ｇを示すデータを記憶する。
【０１５２】
搬送制御部１５は、生地搬送装置４を制御して、第１生地供給装置３１から前身頃Ｃａを第２ミシン２２に搬送する（ステップＳ２０）。
【０１５３】
搬送制御部１５は、第１供給位置ＰＦ１に生地搬送装置４を移動させる。搬送制御部１５は、第１生地供給装置３１の設置台３１２に設置されている１枚の前身頃Ｃａを生地搬送装置４の吸着面ＨＳで吸着保持させる。搬送制御部１５は、前身頃Ｃａを保持した生地搬送装置４を第２ミシン位置ＰＨ２に移動させる。搬送制御部１５は、第２ミシン２２のテーブル２２１に規定されている目標位置に前身頃Ｃａが搬送されるように、第２ミシン位置ＰＨ２において、生地搬送装置４に保持されている前身頃Ｃａの位置を調整する。
【０１５４】
本実施形態において、搬送制御部１５は、前身頃Ｃａの左肩部分ＫＬがテーブル２２１の設置面２２１Ｓに設置され、前身頃Ｃａの右肩部分ＫＲがテーブル２２１に設けられているプレート部材２５１の保持面２５１Ｓに設置されるように、生地搬送装置４で前身頃Ｃａをテーブル２２１に搬送する。
【０１５５】
搬送制御部１５は、生地搬送装置４により前身頃Ｃａを第２ミシン２２のテーブル２２１に搬送して前身頃Ｃａの位置を調整した後、生地搬送装置４の吸着面ＨＳによる前身頃Ｃａの吸着保持を解除する。これにより、前身頃Ｃａは、第２ミシン２２のテーブル２２１に渡される。前身頃Ｃａが生地搬送装置４から第２ミシン２２のテーブル２２１に渡された後、搬送制御部１５は、第２供給位置ＰＦ２に生地搬送装置４を移動させる。
【０１５６】
第２ミシン制御部１４は、生地位置調整装置２５０を制御して、テーブル２２１に設置されている前身頃Ｃａの右肩部分ＫＲの位置を調整する（ステップＳ３０Ａ）。
【０１５７】
図１５を参照して説明したように、前身頃Ｃａの右肩部分ＫＲがプレート部材２５１に吸着保持される。前身頃Ｃａの左肩部分ＫＬはテーブル２２１の設置面２２１Ｓに設置される。第２ミシン制御部１６は、生地位置調整装置２５０のアクチュエータ２５２を制御して、設置面２２１Ｓと平行な方向にプレート部材２５１を移動して、記憶部１６に記憶されているずれ量Ｇが小さくなるように、右肩部分ＫＲを吸着保持しているプレート部材２５１を設置面２２１Ｓと平行な方向に移動させる。
【０１５８】
生地位置調整装置２５０による前身頃Ｃａの右肩部分ＫＲの位置調整の処理の少なくとも一部と並行して、搬送制御部１５は、生地搬送装置４を制御して、第２生地供給装置３２から後身頃Ｃｂを第１ミシン２１に搬送する（ステップＳ３０Ｂ）。
【０１５９】
搬送制御部１５は、第２供給位置ＰＦ２に生地搬送装置４を移動させる。搬送制御部１５は、第２生地供給装置３２の設置台３２２に設置されている１枚の後身頃Ｃｂを生地搬送装置４の吸着面ＨＳで吸着保持させる。搬送制御部１５は、後身頃Ｃｂを保持した生地搬送装置４を第１ミシン位置ＰＨ１に移動させる。搬送制御部１５は、第１ミシン２１のテーブル２１１に規定されている目標位置に後身頃Ｃｂが搬送されるように、第１ミシン位置ＰＨ１において、生地搬送装置４に保持されている後身頃Ｃｂの位置を調整する。
【０１６０】
図１２を参照して説明したように、搬送制御部１５は、後身頃Ｃｂの脇部分Ｗの目標部位が第１縫合位置ＰＭ１に配置されるように、生地搬送装置４に保持されている後身頃Ｃｂの位置を調整する。搬送制御部１５は、位置センサ２１７の検出結果に基づいて、第１ミシン位置ＰＨ１において、生地搬送装置４に保持されている後身頃Ｃｂと第１縫合位置ＰＭ１との相対位置を微調整する。
【０１６１】
第１ミシン制御部１３は、第１ミシン２１を制御して、生地搬送装置４の吸着面ＨＳに吸着保持されている後身頃Ｃｂとラベル供給装置８から供給されたラベルＬとを縫合する（ステップＳ３０Ｃ）。
【０１６２】
ミシンヘッド２１２は、後身頃Ｃｂ及びラベルＬを縫製方向に送りながら後身頃ＣｂとラベルＬとを縫合する。搬送制御部１５は、第１ミシン２１のミシンヘッド２１２による後身頃ＣｂとラベルＬとの縫合と同期して、後身頃Ｃｂを保持している生地搬送装置４を縫製方向に移動させる。また、搬送制御部１５は、生地搬送装置４で後身頃Ｃｂをテーブル２１１に押さえ付けながら、生地搬送装置４を縫製方向に移動させる。
【０１６３】
第１ミシン２１において後身頃ＣｂとラベルＬとの縫合が終了した後、搬送制御部１５は、生地搬送装置４を制御して、第１ミシン２１から後身頃Ｃｂを第２ミシン２２に搬送する（ステップＳ４０）。
【０１６４】
搬送制御部１５は、後身頃Ｃｂを保持した生地搬送装置４を第２ミシン位置ＰＨ２に移動させる。搬送制御部１５は、第２ミシン２２のテーブル２２１に規定されている目標位置に後身頃Ｃｂが搬送されるように、第２ミシン位置ＰＨ２において、生地搬送装置４に保持されている後身頃Ｃｂの位置を調整する。本実施形態において、搬送制御部１５は、生地搬送装置４を制御して、第２ミシン２２のテーブル２２１に設置されている前身頃Ｃａに対する後身頃Ｃｂの位置を調整する。
【０１６５】
搬送制御部１５は、テーブル２２１に設置されている前身頃Ｃａと、生地搬送装置４に保持されている後身頃Ｃｂとが、テーブル２２１において重なり合うように、生地搬送装置４の位置を調整する。本実施形態においては、生地搬送装置４で後身頃Ｃｂがテーブル２２１に搬送される前に、ステップＳ３０Ａにおいて、前身頃Ｃａの右肩部分ＫＲの位置が調整されている。そのため、搬送制御部１５は、テーブル２２１の設置面２２１Ｓに設置されている前身頃Ｃａの左肩部分ＫＬと、生地搬送装置４によりテーブル２２１に搬送される後身頃Ｃｂの左肩部分ＫＬとが一致するように生地搬送装置４を制御することにより、図１６を参照して説明したように、テーブル２２１において、前身頃Ｃａの右肩部分ＫＲの位置と後身頃Ｃｂの右肩部分ＫＲの位置とが一致し、前身頃Ｃａの左肩部分ＫＬの位置と後身頃Ｃｂの左肩部分ＫＬの位置とが一致するように、前身頃Ｃａと後身頃Ｃｂとを重ね合わせることができる。
【０１６６】
搬送制御部１５は、生地搬送装置４を制御して、生地搬送装置４に保持されている後身頃Ｃｂを第２ミシン２２のテーブル２２１に搬送して後身頃Ｃｂの位置を調整した後、生地搬送装置４の吸着面ＨＳによる後身頃Ｃｂの吸着保持を解除する。これにより、後身頃Ｃｂは、第２ミシン２２のテーブル２２１に渡され、前身頃Ｃａと重ね合わせられる。前身頃Ｃａと後身頃Ｃｂとは、前身頃Ｃａの右肩部分ＫＲの位置と後身頃Ｃｂの右肩部分ＫＲの位置とが一致し、前身頃Ｃａの左肩部分ＫＬの位置と後身頃Ｃｂの左肩部分ＫＬの位置とが一致するように、重ね合わせられる。
【０１６７】
前身頃Ｃａ及び後身頃Ｃｂが第２ミシン２２のテーブル２２１に設置され、生地搬送装置４による後身頃Ｃｂの吸着保持が解除された後、図１７を参照して説明したように、第２ミシン制御部１４は、第１生地押え部材２４０Ｌで前身頃Ｃａの左肩部分ＫＬ及び後身頃Ｃｂの左肩部分ＫＬを固定する（ステップＳ５０）。
【０１６８】
前身頃Ｃａの左肩部分ＫＬ及び後身頃Ｃｂの左肩部分ＫＬが第１生地押え部材２４０Ｌに固定された後、図７（Ｂ）を参照して説明したように、搬送制御部１５は、可動部材６３の下端部が吸着面ＨＳよりも下方に配置されるように、吸着部材６の可動部材６３を下降させる。
【０１６９】
搬送制御部１５は、生地搬送装置４の位置を調整して、可動部材６３の下端部と生地搬送装置４の吸着面ＨＳから離れた後身頃Ｃｂとを接触させる。搬送制御部１５は、可動部材６３と後身頃Ｃｂとを接触させた状態で、ロボット５を制御してＸＹ平面内において可動部材６３を移動させて、後身頃Ｃｂ及び前身頃Ｃａの位置を調整する。
【０１７０】
図１８を参照して説明したように、搬送制御部１５は、生地Ｃの右肩部分ＫＲの近傍と可動部材６３とを接触させた状態でＸＹ平面内において生地搬送装置４を移動させて、第１生地押え部材２４０Ｌに固定されている左肩部分ＫＬに対する右肩部分ＫＲの位置を調整する。
【０１７１】
図１９を参照して説明したように、搬送制御部１５は、右肩部分ＫＲと左肩部分ＫＬとが直線状に配置されるように、左肩部分ＫＬに対する右肩部分ＫＲの位置を調整する。図２０を参照して説明したように、搬送制御部１５は、左肩部分ＫＬのシームラインＳＬと右肩部分ＫＲのシームラインＳＲとが同一直線上に配置されるように、左肩部分ＫＬに対する右肩部分ＫＲの位置を調整する（ステップＳ６０）。
【０１７２】
なお、右肩部分ＫＲと左肩部分ＫＬとが直線状に配置されるように左肩部分ＫＬに対する右肩部分ＫＲの位置が調整されることにより、右肩部分ＫＲと左肩部分ＫＬとの間の生地Ｃの少なくとも一部に皺が発生する可能性がある。搬送制御部１５は、可動部材６３と生地Ｃとを接触させた状態でロボット５をＸＹ平面内において移動させることにより、皺を伸ばすことができる。
【０１７３】
生地搬送装置４の可動部材６３で右肩部分ＫＲの位置が調整された後、図２０を参照して説明したように、第２ミシン制御部１４は、第２生地押え部材２４０Ｒで前身頃Ｃａの右肩部分ＫＲ及び後身頃Ｃｂの右肩部分ＫＲを固定する（ステップＳ７０）。
【０１７４】
第１生地押え部材２４０Ｌ及び第２生地押え部材２４０Ｒで前身頃Ｃａ及び後身頃Ｃｂが固定された後、第２ミシン制御部１４は、生地押え搬送装置２３０を制御して、前身頃Ｃａ及び後身頃Ｃｂを生地押え搬送装置２３０に保持させる。第２ミシン制御部１４は、ミシンヘッド２２２を制御して、シームラインＳＬ及びシームラインＳＲに沿って、前身頃Ｃａと後身頃Ｃｂとを縫合する（ステップＳ８０）。前身頃Ｃａ及び後身頃Ｃｂは、Ｘ軸方向と平行な縫製方向に移動されながら、ミシンヘッド２２２により縫合される。
【０１７５】
［効果］
以上説明したように、本実施形態によれば、生地供給装置３は、生地Ｃが設置される上面３３Ｓと、上面３３Ｓの反対方向を向く下面３３Ｔと、上面３３Ｓと下面３３Ｔとを貫通する孔３７とを有するプレート部材３３と、生地Ｃを真空吸着保持してミシン２に搬送する生地搬送装置４の吸着面ＨＳと対向可能な位置においてプレート部材３３を支持する支持装置３４とを備える。したがって、図１１を参照して説明したように、生地搬送装置４とプレート部材３３に設置されている生地Ｃとが接近又は接触した状態で、生地搬送装置４の吸着面ＨＳの吸引孔から気体が吸引されるとき、図１１の矢印Ｆで示すように、プレート部材３３の下面３３Ｔ側の空間の気体が、孔３７を介してプレート部材３３の上面３３Ｓ側の空間に流れる。これにより、生地搬送装置４の吸着面ＨＳによる生地Ｃの真空吸着保持は安定して実施される。したがって、生地供給装置３は、生地Ｃを生地搬送装置４に円滑に渡すことができる。
【０１７６】
また、本実施形態においては、孔３７は、プレート部材３３に複数設けられ、孔３７の直径φは、隣り合う孔３７の間隔ｄよりも小さい。そのため、検出装置３１３又は検出装置３２３で取得された生地Ｃの画像データに孔３７が映り込んでも、前身頃位置データ取得部１１又は後身頃位置データ取得部１２における画像処理に影響を及ぼすことが抑制される。
【０１７７】
また、本実施形態においては、前身頃Ｃａの位置を検出する検出装置３１３及び後身頃Ｃｂの位置を検出する検出装置３２３が設けられ、生地搬送装置４は、検出装置３１３の検出結果及び検出装置３２３の検出結果に基づいて、前身頃Ｃａの位置及び後身頃Ｃｂの位置を調整する。これにより、生地搬送装置４は、縫製システム１に規定される座標系において生地Ｃを目標位置に高精度に搬送することができる。
【０１７８】
また、本実施形態においては、検出装置３１３及び検出装置３２３のそれぞれは、生地Ｃの光学像を取得する撮像装置を含む。これにより、取得された画像データに基づいて、生地Ｃの位置を正確に検出することができる。
【０１７９】
また、本実施形態においては、支持装置３４は、θＸ方向、θＹ方向、及びＺ軸方向にプレート部材３３を揺動可能に支持するフローティング機能を有する。これにより、生地搬送装置４とプレート部材３３とが接触したときの衝撃が緩和される。
【０１８０】
また、本実施形態においては、生地搬送装置４は、プレート部材３３の上面３３Ｓに設置されている生地Ｃを上方から真空吸着保持する。生地搬送装置４の吸着面ＨＳは、Ｘ軸方向、Ｙ軸方向、Ｚ軸方向、及びθＺ方向の４つの方向に移動可能である。したがって、生地搬送装置４の吸着面ＨＳとプレート部材３３の上面３３Ｓとが平行でなくても、生地搬送装置４を下降させて生地搬送装置４の吸着面ＨＳとプレート部材３３の上面３３Ｓに設置されている前身頃Ｃａとを接触させるとき、生地搬送装置４の吸着面ＨＳとプレート部材３３の上面３３Ｓとが平行になるようにプレート部材３３が揺動する。これにより、生地搬送装置４の吸着面ＨＳとプレート部材３３の上面３３Ｓとは十分に接触することができ、前身頃Ｃａは、生地搬送装置４の吸着面ＨＳに安定して真空吸着保持される。
【０１８１】
なお、上述の実施形態においては、検出装置３１３が撮像装置を含むこととした。検出装置３１３は、生地Ｃの位置を検出可能であればよく、例えばレーザスキャナを含んでもよい。検出装置３２３についても同様である。
【符号の説明】
【０１８２】
１…縫製システム、２…ミシン、３…生地供給装置、４…生地搬送装置、５…ロボット、６…吸着部材、７…ベース部材、８…ラベル供給装置、９…ラベル搬送装置、１０…制御装置、１１…前身頃位置データ取得部、１２…後身頃位置データ取得部、１３…第１ミシン制御部、１４…第２ミシン制御部、１５…搬送制御部、１６…記憶部、１７…入出力部、２１…第１ミシン、２２…第２ミシン、３１…第１生地供給装置、３２…第２生地供給装置、３３…プレート部材、３３Ｓ…上面、３３Ｔ…下面、３４…支持装置、３５…ベース部材、３６…ばね、３７…孔、５１…アーム、６０…本体部材、６０Ａ…第１部材、６０Ｂ…第２部材、６０Ｃ…第３部材、６０Ｄ…第４部材、６０Ｅ…第５部材、６０Ｆ…第６部材、６１…第１吸引部材、６１Ａ…上板、６１Ｂ…下板、６１Ｃ…側板、６２…第２吸引部材、６３…可動部材、６４…コネクタ、６５…第１支持部材、６６…第２支持部材、６７…固定機構、６８…固定機構、６９…ガイド機構、７０…真空系、７１…連結部材、７２…プレート部材、７３…アクチュエータ、８１…第１ラベル供給装置、８２…第２ラベル供給装置、８３…第３ラベル供給装置、８４…ラベル収容部材、８５…ラベル移送機構、９１…クランプ機構、９２…ガイド機構、９３…アクチュエータ、２１１…テーブル、２１１Ｓ…設置面、２１２…ミシンヘッド、２１３…ミシン針、２１４…駆動機構、２１５…第１押え部材、２１６…第２押え部材、２１７…位置センサ、２２１…テーブル、２２１Ｋ…開口、２２１Ｓ…設置面、２２２…ミシンヘッド、２２３…ミシン針、２２４…駆動機構、２２５…押え部材、２３０…生地押え搬送装置、２３１…生地押え部材、２３２…アーム部材、２３３…スライダ、２３４…ガイド部材、２３５…アクチュエータ、２４０…生地押え部材、２４０Ｌ…第１生地押え部材、２４０Ｒ…第２生地押え部材、２４１…支持装置、２４１Ｌ…第１支持装置、２４１Ｒ…第２支持装置、２５０…生地位置調整装置、２５１…プレート部材、２５１Ｓ…保持面、２５１Ｔ…下面、２５２…アクチュエータ、２５３…吸引孔、２５４…支持部材、２５５…ベース部材、２５６…チューブ部材、３１１…収容装置、３１２…設置台、３１３…検出装置、３２１…収容装置、３２２…設置台、３２３…検出装置、Ｃ…生地、Ｃａ…前身頃（第１生地）、Ｃｂ…後身頃（第２生地）、ＨＳ…吸着面、ＨＳ１…吸着面、ＨＳ２…吸着面、Ｋ…肩部分、ＫＲ…右肩部分、ＫＬ…左肩部分、Ｌ…ラベル、Ｌ１…第１ラベル、Ｌ２…第２ラベル、Ｌ３…第３ラベル、ＰＦ１…第１供給位置、ＰＦ２…第２供給位置、ＰＨ１…第１ミシン位置、ＰＨ２…第２ミシン位置、ＰＭ１…第１縫合位置、ＰＭ２…第２縫合位置、ＳＬ…シームライン、ＳＲ…シームライン、ＶＳ…空間、Ｗ…脇部分、ＷＲ…右脇部分、ＷＬ…左脇部分。
【図１】
2018130498.tif 000003
【図２】
2018130498.tif 000004
【図３】
2018130498.tif 000005
【図４】
2018130498.tif 000006
【図５】
2018130498.tif 000007
【図６】
2018130498.tif 000008
【図７】
2018130498.tif 000009
【図８】
2018130498.tif 000010
【図９】
2018130498.tif 000011
【図１０】
2018130498.tif 000012
【図１１】
2018130498.tif 000013
【図１２】
2018130498.tif 000014
【図１３】
2018130498.tif 000015
【図１４】
2018130498.tif 000016
【図１５】
2018130498.tif 000017
【図１６】
2018130498.tif 000018
【図１７】
2018130498.tif 000019
【図１８】
2018130498.tif 000020
【図１９】
2018130498.tif 000021
【図２０】
2018130498.tif 000022
【図２１】
2018130498.tif 000023